(57)【特許請求の範囲】
【請求項１】
本体から突出して設けられるとともに記録紙の厚さ方向に回動可能に設けられた給紙トレー部材と、該給紙トレー部材との間に記録紙の収容スペースを画成すると共に、該給紙トレー部材が前記本体から上方に突出した状態において、内端側を中心に記録紙の厚さ方向に回動可能に設けられかつ回動中心軸が前記給紙トレー部材の回動中心軸より内端側に偏心して配置されて外端側の開放部から記録紙の収容を可能としたカバー部材とを備えたことを特徴とするファクシミリ装置。
【請求項２】
前記カバー部材を所定の開き角度に制限する回動規制手段が設けられたことを特徴とする請求項１に記載のファクシミリ装置。
【請求項３】
前記回動規制手段が、突起と、該突起が嵌合する案内溝とからなり、その一方が前記給紙トレー部材に、他方が前記カバー部材に設けられたことを特徴とする請求項２に記載のファクシミリ装置。
【請求項４】
前記給紙トレー部材及び前記カバー部材の前記本体に対する取付部分に２段突起が設けられ、該２段突起の１段目の大径部と２段目の小径部とを偏心させて、その一方を前記カバー部材の回動中心軸とし、他方を前記給紙トレー部材の回動中心軸としたことを特徴とする請求項１に記載のファクシミリ装置。
【請求項５】
前記カバー部材を開く際に前記給紙トレー部材を手指で押さえる把持部が設けられたことを特徴とする請求項１乃至請求項４のいずれかに記載のファクシミリ装置。
【発明の詳細な説明】
【０００１】
【発明の属する技術分野】
本発明は、記録紙にカット紙を用いるファクシミリ装置に関し、特に本体から突出して設けられた給紙トレー部材と、この給紙トレー部材との間に記録紙の収容スペースを画成するカバー部材とを備えたファクシミリ装置に関するものである。
【０００２】
【従来の技術】
家庭向けのファクシミリ装置では、近年、取り扱い上の不便からロール状の感熱紙に代わってカット紙を用いる構成が多用されている。この場合、積み重ねた状態で収容されたカット紙を１枚ずつ給紙する自動給紙機能を備えたものが望ましく、さらに設置面積を削減するため、本体の背面に設けた給紙口の近傍から上方に立ち上がった給紙トレーに防塵用のカバー部材を併設して記録紙収容部とした構成を採用することが一般的であり、記録紙収容部へのカット紙の収容は、カバー部材を取り外して行われる。
【０００３】
【発明が解決しようとする課題】
ところが、前記従来構成のファクシミリ装置では、カバー部材の取り付け・取り外しの操作が面倒で、記録紙の収容に手間がかかり、使い勝手が悪い不都合があった。
【０００４】
本発明は、このような従来技術の問題点を解消するべく案出されたものであり、その主な目的は、記録紙の収容が簡単で使い勝手の良いファクシミリ装置を提供することにある。
【０００５】
【課題を解決するための手段】
このような目的を果たすために、本発明においては、本体から突出して設けられるとともに記録紙の厚さ方向に回動可能に設けられた給紙トレー部材と、該給紙トレー部材との間に記録紙の収容スペースを画成すると共に、該給紙トレー部材が前記本体から上方に突出した状態状態において、内端側を中心に記録紙の厚さ方向に回動可能に設けられかつ回動中心軸が前記給紙トレー部材の回動中心軸より内端側に偏心して配置されて外端側の開放部から記録紙の収容を可能としたカバー部材とを備えたものとした。これによると、記録紙の収容が簡単で使い勝手が良くなる。
【０００６】
【発明の実施の形態】
本発明の第１の実施の態様に係るファクシミリ装置は、本体から突出して設けられるとともに記録紙の厚さ方向に回動可能に設けられた給紙トレー部材と、該給紙トレー部材との間に記録紙の収容スペースを画成すると共に、該給紙トレー部材が前記本体から上方に突出した状態状態において、内端側を中心に記録紙の厚さ方向に回動可能に設けられかつ回動中心軸が前記給紙トレー部材の回動中心軸より内端側に偏心して配置されて外端側の開放部から記録紙の収容を可能としたカバー部材とを備えたものである。これによると、カバー部材を取り外すことなく記録紙の収容が可能になり、カバー部材の脱着の不便がなくなるため、使い勝手が良くなる。また、回動中心より内側に位置するカバー部材の内端が、カバー部材を開いた際に外端と相反する向きに変位して給紙トレー部材との間の間隙を狭める場合に、そのカバー部材の内端の変位量が小さくなるため、カバー部材の内端が記録紙と干渉することなく、カバー部材の開き角度を大きく設定することができる。
【０００７】
本発明の第２の実施の態様に係るファクシミリ装置は、前記第１の実施の態様において、カバー部材を所定の開き角度に制限する回動規制手段が設けられた構成をとることができる。これによると、回動規制手段によりカバー部材が必要以上に開かなくなり、記録紙の収容が容易になる。
【０００８】
本発明の第３の実施の態様に係るファクシミリ装置は、前記第２の実施の態様において、回動規制手段が、突起と、この突起が嵌合する案内溝とからなり、その一方が給紙トレー部材に、他方がカバー部材に設けられた構成をとることができる。これによると、給紙トレー部材に対するカバー部材の回動に伴って相対的に移動する突起が案内溝の内周面に規制されることにより、所定の開き角度の範囲内でカバー部材を円滑に開閉動作させることができる。
【００１０】
本発明の第４の実施の態様に係るファクシミリ装置は、前記第１の実施の態様において、給紙トレー部材及びカバー部材の本体に対する取付部分に２段突起が設けられ、この２段突起の１段目の大径部と２段目の小径部とを偏心させて、その一方をカバー部材の回動中心軸とし、他方を給紙トレー部材の回動中心軸とした構成をとることができる。これによると、簡単な構成で偏心した２つの回動中心軸を設けることができ、特に合成樹脂材による一体成形で形成することができるため、製造コストを低減する利点が得られる。
【００１２】
本発明の第５の実施の態様に係るファクシミリ装置は、前記第１乃至第４の実施の態様において、カバー部材を開く際に給紙トレー部材を手指で押さえる把持部が設けられた構成をとることができる。これによると、カバー部材を開く操作が容易になる。特に給紙トレー部材が回動する構成で、カバー部材に随伴して給紙トレー部材が回動するのを阻止する上で有効である。
【００１３】
以下、本発明の実施の形態について、図面を参照して詳細に説明する。
【００１４】
図１は、本発明によるファクシミリ装置を示す斜視図である。このファクシミリ装置では、本体１の背面側に記録紙（カット紙）Ａが収容される記録紙収容部２を備え、この記録紙収容部２は、本体１から上方に突出して設けられた給紙トレー部材３と、この給紙トレー部材３の前面側に配置されて給紙トレー部材３との間に記録紙Ａの収容スペースを画成するカバー部材４とからなっている。本体１の上面には、各種の操作キー６、及び表示パネル７が設けられている。
【００１５】
給紙トレー部材３とカバー部材４とは箱状に組み合わされて防塵構造になっている。すなわち給紙トレー部材３は、底壁９の左右両側に側壁１０を有するコ字形状断面に形成され、カバー部材４も、底壁１１の左右両側に側壁１２を有するコ字形状断面に形成されており、カバー部材４の側壁１２が給紙トレー部材３の側壁１０の外側に位置するように両者が嵌合される。
【００１６】
図２は、図１に示したファクシミリ装置の動作状況を示す側面図である。カバー部材４は、内端４ａ側を中心に記録紙Ａの厚さ方向（ここでは前後方向）に回動可能に設けられており、給紙トレー部材３の外端３ｂとカバー部材４の外端４ｂとの間に形成される開放部５から記録紙Ａを収容することができる。給紙トレー部材３は、本体１の背面部に設けられた支持突片１４に回動可能に支持され、背面側のリブ１５が本体１に設けられた支持部１６に規制されて僅かに後傾した状態に保持されている。カバー部材４は、給紙トレー部材３に支持され、給紙トレー部材３に沿って後傾した全閉状態と前傾した全開状態との間で回動可能になっている。
【００１７】
図３は、図１に示したファクシミリ装置の別の動作状況を示す側面図である。本体１は、背面側に設けられた支軸１８を中心にして上下に開閉可能な上部分割体１９を有し、この上部分割体１９に記録紙収容部２を支持する支持突片１４が設けられている。上部分割体１９を上方に開くと、この上部分割体１９の回動に伴って記録紙収容部２が後方に移動するが、記録紙収容部２が壁面Ｂに突き当たったところで上部分割体１９に対して相対的に前方に回動し、記録紙収容部２と壁面Ｂとの干渉により上部分割体１９の回動が阻害されることがなく、上部分割体１９を所要の角度に開くことができる。このため本装置の後方に余分なスペースを確保する必要がなく、設置スペースを削減することができる。
【００１８】
図４は、図１に示した記録紙収容部の取付部分を分解して示す斜視図である。記録紙収容部の取付部分には、カバー部材４を所定の開き角度に制限する回動規制手段として、突起２１と、この突起２１が嵌合する案内溝２２とが設けられており、特にここでは給紙トレー部材３の側壁１０に突起２１が設けられ、カバー部材４の側壁１２に案内溝２２が設けられている。案内溝２２は、カバー部材４を開閉する際に相対的に移動する突起２１の軌跡に沿う円弧状の内周輪郭を有し、突起２１の外径より僅かに幅広に形成されてその内周面が突起２１を規制して、カバー部材４をがたつくことなく円滑に開閉動作させつつその全開位置を規定するようになっている。
【００１９】
また、給紙トレー部材３の側壁１０には、カバー部材４を支持すると共に本体１の支持突片１４に給紙トレー部材３を保持させるための２段突起２３が設けられており、この２段突起２３の１段目の大径部２４と２段目の小径部２５とを偏心させて、その一方の大径部２４がカバー部材４の回動中心軸となり、他方の小径部２５が給紙トレー部材３の回動中心軸となっている。カバー部材４には、１段目の大径部２４に嵌合する大径の孔２６が開設され、本体１側の支持突片１４には、２段目の小径部２５に嵌合する小径の孔２７が開設されている。なお、２段突起２３、孔２６・２７、並びに支持突片１４はそれぞれ左右に一対設けられる。
【００２０】
図５は、図１に示したファクシミリ装置の断面図である。記録紙収容部２内の記録紙は、先端が分離パッド２９に突き当たって積み重なった状態で収容されており、給紙ローラ３０により１枚ずつ送り込まれて押圧ローラ３１とインクフィルム３２との間に導入され、ここでサーマルヘッド３３によりインクフィルム３２のインクが熱転写されて所要の画像が記録され、その後、案内部３４により給紙方向とは逆向きに案内されて排紙ローラ３５で送り出され、排紙トレーを兼用するカバー部材４の前面に記録済みの記録紙が排出される。
【００２１】
給紙トレー部材３の内端３ａは、記録紙が円滑に給紙されるように本体１の背面部に設けられた給排紙口３８から本体１の内部に入り込んでおり、カバー部材４の内端４ａも、記録紙が円滑に排紙されるように本体１の内部に入り込んでいる。他方、支持突片１４は、給紙トレー部材３及びカバー部材４の回動時に本体１と干渉することなく所要の回動量を確保し得るように本体１の給排紙口３８の側縁部分から外部に突出した状態で設けられている。
【００２２】
図６は、図１に示した記録紙収容部の取付部分を詳しく示す断面図である。カバー部材４の回動中心軸となる２段突起２３の大径部２４は、給紙トレー部材３の回動中心軸となる小径部２５より内端４ａ側に偏心して配置されており、カバー部材４の回動中心Ｏ２とカバー部材４の内端４ａとの距離が、給紙トレー部材３の回動中心Ｏ１とカバー部材４の内端４ａとの距離より小さくなっている。このため、カバー部材４を手前側に開いた際に、回動中心Ｏ２より内側に位置する内端４ａが、給紙トレー部材３の底壁９との間の間隙幅Ｌを狭める向きに変位したとき、その内端４ａの変位量が小さくなり、内端４ａが記録紙と干渉することなくカバー部材４の開き角度を大きく設定することができる。
【００２３】
図７は、図１に示したファクシミリ装置の要部を詳しく示す斜視図である。給紙トレー部材３には、カバー部材４を開く際に給紙トレー部材３を手指で押さえる把持部４１が設けられている。この把持部４１は、給紙トレー部材３の底壁９の側縁からカバー部材４の外側に突出する突片状に形成されている。カバー部材４の側壁１２には、把持部４１を押さえるために手指が入る切り欠き４２が設けられている。
【００２４】
給紙トレー部材３及びカバー部材４には、カバー部材４が不意に開くことがないように両者を弾発的に係止させる構造が採用されている。すなわち、給紙トレー部材３の側壁１０の外面に突起４３が設けられ、カバー部材４の側壁１２に突起４３が嵌入する孔４４が開設されており、カバー部材４を閉じて給紙トレー部材３と嵌合させると、主にカバー部材４が弾性変形して孔４４に突起４３が嵌入した係止状態となり、カバー部材４の全閉状態に保持される。カバー部材４を開く際には、把持部４１を利用して給紙トレー部材３を手指で押さえておき、突起４３と孔４４とによる弾発的な係止力に抗してカバー部材４の適所を引くと、容易にかつ円滑にカバー部材４を開くことができる。
【００２５】
【発明の効果】
このように本発明によれば、カバー部材を取り外すことなく記録紙の収容が可能になり、カバー部材の脱着の不便がなくなるため、利便性を向上させる上で大きな効果が得られる。特にカバー部材の開き角度を制限したり、カバー部材の回動中心軸を給紙トレー部材の回動中心軸より内端側に偏心して配置したり、カバー部材を開く際に給紙トレー部材を手指で押さえる把持部を設けたりすることで利便性をより一層向上させることができる。
【図面の簡単な説明】
【図１】本発明によるファクシミリ装置を示す斜視図
【図２】図１に示したファクシミリ装置の動作状況を示す側面図
【図３】図１に示したファクシミリ装置の別の動作状況を示す側面図
【図４】図１に示した記録紙収容部の取付部分を分解して示す斜視図
【図５】図１に示したファクシミリ装置の断面図
【図６】図１に示した記録紙収容部の取付部分を詳しく示す断面図
【図７】図１に示したファクシミリ装置の要部を詳しく示す斜視図
【符号の説明】
１  本体
２  記録紙収容部
３  給紙トレー部材、３ａ  内端、３ｂ  外端
４  カバー部材、４ａ  内端、４ｂ  外端
５  開放部
１４  支持突片
２１  突起
２２  案内溝
２３  ２段突起、２４  大径部、２５  小径部
４１  把持部
Ａ  記録紙
Ｏ１  回動中心
Ｏ２  回動中心
【図１】
0003892742.tif 000002
【図２】
0003892742.tif 000003
【図３】
0003892742.tif 000004
【図４】
0003892742.tif 000005
【図５】
0003892742.tif 000006
【図６】
0003892742.tif 000007
【図７】
0003892742.tif 000008